(57)【要約】【課題】動きのある画面によるシーン検索を可能とする。【解決手段】ビデオカメラ１の記録時に、例えば、ＲＥＣボタンが押される操作をトリガとして、記録される動画像１の先頭付近のフレーム２１ａの抽出がされる。抽出されたフレーム２１ａは、静止画像記録再生処理部１５に供給され、画像サイズ変換等の信号処理が行われてインデックス画像が生成される。生成されたインデックス画像は、記憶媒体１６に書き込まれる。同様にして、フレーム２１ａと時間的に近接したフレーム２１ｂ〜フレーム２１ｅに対応するインデックス画像が生成され、記憶媒体１６に書き込まれる。シーン検索時に、記憶媒体１６に書き込まれたフレーム２１ａ〜フレーム２１ｅに対応するインデックス画像が順次、再生されることで、動きのある画面によるシーンの検索が可能となる。【選択図】  図２
2006217060.tif 000002
【特許請求の範囲】
【請求項１】
動画像を記録する記録装置において、
動画像の記録時に、上記動画像を構成する複数のフレームのうち、時間的に近接した複数のフレームの静止画像からなる静止画像群と、上記動画像と上記静止画像群の関連を示す関連情報とを、記憶媒体に書き込むことを特徴とする記録装置。
【請求項２】
請求項１に記載の記録装置において、上記静止画像群と、上記関連情報とを、指定されたタイミングに同期して上記記憶媒体に書き込むことを特徴とする記録装置。
【請求項３】
請求項１に記載の記録装置において、上記動画像を構成する複数のフレームのうち、ほぼ一定の間隔で抽出された複数のフレームの静止画像からなる他の静止画像群を生成し、上記関連情報は、上記動画像と上記他の静止画像群との関連を示す情報を含み、上記他の静止画像群および上記関連情報を、上記記憶媒体に書き込むことを特徴とする記録装置。
【請求項４】
動画像を記録再生する記録再生装置において、
動画像の記録時に、上記動画像を構成する複数のフレームのうち、時間的に近接した複数のフレームの静止画像からなる静止画像群と、上記動画像と上記静止画像群の関連を示す関連情報とを、記憶媒体に書き込み、
上記動画像のシーン検索時に、上記静止画像群および上記関連情報を再生することを特徴とする記録再生装置。
【請求項５】
動画像を記録再生する記録再生装置において、
動画像の記録および／または再生時に、上記動画像を構成する複数のフレームのうち、時間的に近接した複数のフレームの静止画像からなる静止画像群と、上記動画像と上記静止画像群の関連を示す関連情報とを、指定されたタイミングに同期して記憶媒体に書き込み、
上記動画像のシーン検索時に、上記静止画像群および上記関連情報を再生することを特徴とする記録再生装置。
【請求項６】
請求項４または請求項５に記載の記録再生装置において、
動画像の記録および／または再生時に、上記動画像を構成する複数のフレームのうち、ほぼ一定の間隔で抽出された複数のフレームの静止画像からなる他の静止画像群を生成し、上記関連情報は、上記動画像と上記他の静止画像群との関連を示す情報を含み、上記他の静止画像群および上記関連情報を、上記記憶媒体に書込み、
上記動画像のシーン検索時に、上記静止画像群および上記他の静止画像群と、上記関連情報を再生することを特徴とする記録再生装置。
【請求項７】
動画像を記録再生する記録再生装置において、
動画像の再生時に、上記動画像におけるシーンの切替点を検出し、上記動画像の上記シーンの切替点におけるフレームと時間的に近接した複数のフレームの静止画像からなる静止画像群と、上記動画像と上記静止画像群の関連を示す関連情報とを、記憶媒体に書き込み、
上記動画像のシーン検索時に、上記静止画像群および上記関連情報を再生することを特徴とする記録再生装置。
【請求項８】
動画像を記録する記録方法において、
動画像の記録時に、上記動画像を構成する複数のフレームのうち、時間的に近接した複数のフレームの静止画像からなる静止画像群と、上記動画像と上記静止画像群の関連を示す関連情報とを、記憶媒体に書き込む書込みステップを有することを特徴とする記録方法。
【請求項９】
動画像を記録再生する記録再生方法において、
動画像の記録時に、上記動画像を構成する複数のフレームのうち、時間的に近接した複数のフレームの静止画像からなる静止画像群と、上記動画像と上記静止画像群の関連を示す関連情報とを、記憶媒体に書き込み書込みステップと、
上記動画像のシーン検索時に、上記静止画像群および上記関連情報を再生する再生ステップを有することを特徴とする記録再生方法。
【請求項１０】
動画像を記録再生する記録再生方法において、
動画像の記録および／または再生時に、上記動画像を構成する複数のフレームのうち、時間的に近接した複数のフレームの静止画像からなる静止画像群と、上記動画像と上記静止画像群の関連を示す関連情報とを、指定されたタイミングに同期して記憶媒体に書き込む書込みステップと、
上記動画像のシーン検索時に、上記静止画像群および上記関連情報を再生する再生ステップとを有することを特徴とする記録再生方法。
【請求項１１】
動画像を記録再生する記録再生方法において、
動画像の再生時に、上記動画像におけるシーンの切替点を検出し、上記動画像の上記シーンの切替点におけるフレームと時間的に近接した複数のフレームの静止画像からなる静止画像群と、上記動画像と上記静止画像群の関連を示す関連情報とを、記憶媒体に書き込む書込みステップと、
上記動画像のシーン検索時に、上記静止画像群および上記関連情報を再生する再生ステップを有することを特徴とする記録再生方法。
【発明の詳細な説明】
【技術分野】
【０００１】
この発明は、動画像のおけるシーンの検索等を容易にした記録装置、記録再生装置および記録方法並びに記録再生方法に関する。
【背景技術】
【０００２】
磁気テープの再生時に所望のシーンを再生するため、ユーザは映像を確認しながらテープの早送りや巻戻しを行うか、所望のシーンの映像が記録されたテープ位置の見当をつけて再生を行っていた。また、１本の磁気テープに複数の映像シーンが記録されている場合に、記録されている映像内容を確認するには、各映像シーンを順次、再生して確認する必要があった。
【０００３】
このように、磁気テープをはじめとするシーケンシャルにしかアクセスできない記録媒体ではユーザの所望する映像・音声コンテンツの編集、頭出し、内容把握に時間や手間がかかるといった問題があった。かかる問題を解決するために下記特許文献１には、代表画像を用いて動画像の検索、編集を行う動画像検索編集方法に関する発明が記載されている。
【０００４】
【特許文献１】特許第２７４１８７１号明細書
【０００５】
また、下記特許文献２には、インデックス画像が表示され、選択されたインデックス画像に対応する静止画像に続く動画像が再生される画像再生装置に関する発明が記載されている。
【０００６】
【特許文献２】特開２０００−１７５１５８
【発明の開示】
【発明が解決しようとする課題】
【０００７】
このように、従来は、シーン検索のためのインデックス画像を作成し、ユーザは、インデックス画像を参照してシーンの検索を行っていた。しかしながら上述した従来の技術には以下のような問題点があった。特許文献１に記載されている発明では、利用者の操作により動画像を構成する特定の画像フレームにアクセスし、アクセスされたフレームにより代表ピクチャーアイコンが作成されることが記載されている。しかしながら、特に磁気テープでは特定の画像フレームにアクセスする時間がかかるため代表ピクチャーアイコンの作成に時間がかかってしまう問題点があった。
【０００８】
また、下記特許文献２に記載されている発明では、表示されるインデックス画像およびインデックス画像に対応した静止画像は、ユーザの指定したタイミングにより選択された１フレーム画像であることが記載されている。しかしながら、あるシーンにおける１フレーム画像だけが表示されたとしても、それが動画像における如何なるシーンを示すかをユーザが把握することができない場合もある。結果として所望のシーンを再生するのに手間と時間がかかってしまうおそれがあった。
【０００９】
したがって、この発明の目的は、記録媒体に記録された動画像の内容を迅速に把握することができ、さらに所望のシーンの検索、頭出しを容易により行うことができる記録装置、記録再生装置および記録方法並びに記録再生方法を提供することである。
【課題を解決するための手段】
【００１０】
上述した課題を解決するために、この発明の第１の態様は、動画像を記録する記録装置において、動画像の記録時に、動画像を構成する複数のフレームのうち、時間的に近接した複数のフレームの静止画像からなる静止画像群と、動画像と静止画像群の関連を示す関連情報とを、記憶媒体に書き込むことを特徴とする記録装置である。
【００１１】
この発明の第２の態様は、動画像を記録再生する記録再生装置において、動画像の記録時に、動画像を構成する複数のフレームのうち、時間的に近接した複数のフレームの静止画像からなる静止画像群と、動画像と静止画像群の関連を示す関連情報とを、記憶媒体に書き込み、動画像のシーン検索時に、静止画像群および関連情報を再生することを特徴とする記録再生装置である。
【００１２】
この発明の第３の態様は、動画像を記録再生する記録再生装置において、動画像の記録および／または再生時に、動画像を構成する複数のフレームのうち、時間的に近接した複数のフレームの静止画像からなる静止画像群と、動画像と静止画像群の関連を示す関連情報とを、指定されたタイミングに同期して記憶媒体に書き込み、動画像のシーン検索時に、静止画像群および関連情報を再生することを特徴とする記録再生装置である。
【００１３】
この発明の第４の態様は、動画像を記録再生する記録再生装置において、動画像の再生時に、動画像におけるシーンの切替点を検出し、動画像のシーンの切替点におけるフレームと時間的に近接した複数のフレームの静止画像からなる静止画像群と、動画像と静止画像群の関連を示す関連情報とを、記憶媒体に書き込み、動画像のシーン検索時に、静止画像群および関連情報を再生することを特徴とする記録再生装置である。
【００１４】
この発明の第５の態様は、動画像を記録する記録方法において、動画像の記録時に、動画像を構成する複数のフレームのうち、時間的に近接した複数のフレームの静止画像からなる静止画像群と、動画像と静止画像群の関連を示す関連情報とを、記憶媒体に書き込む書込みステップを有することを特徴とする記録方法である。
【００１５】
この発明の第６の態様は、動画像を記録再生する記録再生方法において、動画像の記録時に、動画像を構成する複数のフレームのうち、時間的に近接した複数のフレームの静止画像からなる静止画像群と、動画像と静止画像群の関連を示す関連情報とを、記憶媒体に書き込み書込みステップと、動画像のシーン検索時に、静止画像群および関連情報を再生する再生ステップを有することを特徴とする記録再生方法である。
【００１６】
この発明の第７の態様は、動画像を記録再生する記録再生方法において、動画像の記録および／または再生時に、動画像を構成する複数のフレームのうち、時間的に近接した複数のフレームの静止画像からなる静止画像群と、動画像と静止画像群の関連を示す関連情報とを、指定されたタイミングに同期して記憶媒体に書き込む書込みステップと、動画像のシーン検索時に、静止画像群および関連情報を再生する再生ステップとを有することを特徴とする記録再生方法である。
【００１７】
この発明の第８の態様は、動画像を記録再生する記録再生方法において、動画像の再生時に、動画像におけるシーンの切替点を検出し、動画像のシーンの切替点におけるフレームと時間的に近接した複数のフレームの静止画像からなる静止画像群と、動画像と静止画像群の関連を示す関連情報とを、記憶媒体に書き込む書込みステップと、動画像のシーン検索時に、静止画像群および関連情報を再生する再生ステップを有することを特徴とする記録再生方法である。
【発明の効果】
【００１８】
この発明によれば、記録媒体に記録された映像の任意のシーンの検索を迅速に行うことができる。特に、シーン検索のための参照画像が、複数のフレームに基づいて生成され、動きのあるように構成されることで、シーンの検索を容易に行うことができる。また、この発明によれば、任意のシーンの検索に加え、記録媒体に記録された映像内容の概要の把握も行うことができる。
【発明を実施するための最良の形態】
【００１９】
以下、図面を参照しながらこの発明の一実施形態について説明する。図１は、この発明を適用したビデオカメラ１の主要な構成を示す。ビデオカメラ１は動画像および静止画像の記録再生が可能とされる。はじめに、ビデオカメラ１の構成について説明する。
【００２０】
カメラ信号処理部１０は、例えば、光学系、イメージセンサ、アナログ信号処理部、タイミング発生部からなる。光学系は、被写体光をイメージセンサに結像するレンズ系、赤外線カットフィルタ、光学的ローパスフィルタを含む構成とされる。
【００２１】
イメージセンサは、例えばＣＣＤ(Charge Coupled Device)やＣＭＯＳ（Complementary Metal Oxide Semiconductor）が用いられ、光電変換により被写体光に応じた電気的な撮像信号を生成する。アナログ信号処理部は、例えば、イメージセンサから供給される信号に含まれる種々の雑音を除去するＣＤＳ(Correlated Double Sampling)部、信号レベルを調節するＡＧＣ（Automatic Gain Control）部等から構成される。また、タイミング発生部は、イメージセンサに供給する駆動パルスを生成するタイミングジェネレータ（ＴＧ）部を含む構成とされる。
【００２２】
カメラ信号処理部１０において、アナログ信号処理がされた撮像信号は、図示しないＡ／Ｄ変換部でディジタル撮像信号へと変換され、映像信号処理部１１に供給される。映像信号処理部１１では、ホワイトバランス処理、補間処理、輪郭補償などの種々のディジタル信号処理が行われる。
【００２３】
動画像記録再生処理部１２では、ＤＶ（Digital Video）フォーマットやＨＤＶフォーマットに従って、映像信号および音声信号が圧縮され、所定のフォーマットの映像信号および音声信号が形成される。また、動画像記録再生処理部１２では、記録再生フォーマットに対応した信号処理が行われる。例えば、ＤＶフォーマットにおいては、動画像記録再生処理部１２では、シャッフル処理、エラー訂正処理、多重化処理等が行われる。圧縮処理等がされた信号は記録符号化され、記録媒体１３に記録される。
【００２４】
記録媒体１３は、例えば、ＤＶフォーマットの映像信号（音声信号を含む）やＨＤＶフォーマットの映像信号（音声信号を含む）の記録が可能な磁気テープである。
【００２５】
また、映像信号処理部１１おいて、ディジタル信号処理がされた映像信号を構成するフレームのうち、所定のフレームが、システムコントロール部１４により抽出され、静止画像記録再生処理部１５に供給される。静止画像記録再生処理部１５では、供給された所定のフレームの画像信号を、例えば、画素数１６０×１２０の縮小した静止画像（以下、適宜、インデックス画像と称する）に変換する。また、必要に応じて、例えばＪＰＥＧ(Joint Photographic Coding Expert Group)形式に基づく画像の圧縮処理が行われ、ＪＰＥＧ形式の画像ファイルが形成される。再生時には、画像ファイルの伸張処理が行われる。
【００２６】
さらに、静止画像記録再生処理部１５では、画像ファイルが記憶媒体１６の記録に適したフォーマットへと変換され、変換された画像ファイルが、記憶媒体１６に書き込まれて記憶される。記憶媒体１６は、例えば、ビデオカメラ１に内蔵されるフラッシュメモリ、ＨＤＤ（Hard Disk Drive）などの不揮発性の記憶媒体である。
【００２７】
画像ファイルの記憶媒体１６への書込みは、社団法人電子情報技術産業協会（JEITA:Japan Electronics and Information Technology industries Association）の規格として定められているＤＣＦ（Design rule for Camera File System）のファイルシステムの規格に準拠して行われてもよい。
【００２８】
システムコントロール部１４は、例えば、マイクロプロセッサにより実現され、ビデオカメラ１の各部の制御を行う。また、システムコントロール部１４に対しては、操作情報処理部１７で生成された、操作入力に対応した電気信号が供給され、操作に対応した処理が実行される。
【００２９】
システムコントロール部１４は、さらに、表示処理部１８を制御することで、ＬＣＤパネル１９の制御を行う。表示処理部１８では、ＹＣ／ＲＧＢ変換やＡ／Ｄ変換などの画像信号処理が行なわれ、画像信号処理がなされた再生動画像および再生静止画像がＬＣＤパネル１９に表示される。また、ＬＣＤパネル１９には、動画像のシーン検索のためのＧＵＩ(Graphical User Interface)が表示される。
【００３０】
ＬＣＤパネル１９には、再生画像が表示されるほか、各種の設定を行うためのメニュー画面が表示される。また、ＬＣＤパネル１９は、タッチパネルとして構成され、パネルの特定の箇所を押すことで、所定の機能が実行される。
【００３１】
次に、シーン検索のための静止画像群の作成と記憶のタイミングに関する第１の実施形態について説明する。図２は、第１の実施形態における静止画像群の作成と記憶のタイミングを示す。例えば、記録媒体１３には、シーン毎に動画像１、動画像２、動画像３が順次、記録されるとする。動画像の記録は、例えば、被写体を撮像しながら、ビデオカメラ１に設けられているＲＥＣボタンを押すことで行われる。
【００３２】
ＲＥＣボタンが押されることで動画像１の記録が開始される。すなわち、カメラ信号処理部１０で撮像された動画像１は、映像信号処理部１１、動画像記録再生処理部１２を経て、記録媒体１３に記録される。この動画像１の記録が開始されると、システムコントロール部１４により、例えば、動画像１の先頭付近のフレーム２１ａが抽出され、静止画像記録再生処理部１５に供給される。静止画像記録再生処理部１５においてフレーム２１ａに対応するインデックス画像が生成され、記憶媒体１６に書き込まれる。
【００３３】
次に、システムコントロール部１４は、動画像１のフレーム２１ａから所定の時間経過した後のフレーム２１ｂを抽出し、静止画像記録再生処理部１５に供給する。静止画像記録再生処理部１５においてフレーム２１ｂに対応するインデックス画像が生成され、記憶媒体１６に書き込まれる。
【００３４】
同様にして、フレーム２１ｃ、フレーム２１ｂ、フレーム２１ｅがそれぞれ抽出されて、各フレームに対応するインデックス画像が記憶媒体１６に書き込まれる。このようにして、記憶媒体１６に書き込まれた複数のフレーム２１ａ〜フレーム２１ｅに対応するインデックス画像により静止画像群２４が生成される。
【００３５】
システムコントロール部１４により抽出されるフレーム２１ａ〜フレーム２１ｅは、時間的に近接した複数のフレームとされる。すなわち、フレーム間の時間的間隔は適切な値に設定されるが、少なくとも、静止画像群２４の各インデックス画像を順次、再生した場合にある動きの把握が可能とされる値に設定される。設定されるフレーム間の時間的間隔は、等間隔でなく異なる時間間隔とされてもよい。また、記憶されるフレームのインデックス画像の枚数は、この第１の実施形態では５枚とされたが、５枚に限定されず、適切な値に設定される。
【００３６】
動画像１の記録が終了し、次に別のシーンを示す動画像２を記録するためにＲＥＣボタンが押されると、例えば、動画像２の先頭付近のフレーム２２ａが抽出され、静止画像記録再生処理部１５に供給される。静止画像記録再生処理部１５において、フレーム２２ａのインデックス画像が生成され、記憶媒体１６に書き込まれる。同様にして、フレーム２２ａと時間的に近接したフレーム２２ｂ〜フレーム２２ｅのインデックス画像が記憶媒体１６に書き込まれ、静止画像群２５が生成される。
【００３７】
また、動画像２の記録が終了し、次に動画像３を記録するためにＲＥＣボタンが押されると、同様にして動画像３を構成するフレーム２３ａ〜フレーム２３ｅが抽出され、各フレームに対応するインデックス画像が生成されて記憶媒体１６に書き込まれる。フレーム２３ａ〜フレーム２３ｅに対応するインデックス画像により静止画像群２６が生成される。このように、動画像の記録時に、例えばＲＥＣボタンを押すなどの記録時になされる操作をトリガとして、動画像の記録と、動画像を構成する複数のフレームのうち、時間的に近接した複数のフレームの静止画像からなる静止画像群の記憶が行われる。
【００３８】
さらに、この発明では、動画像と、静止画像群との関連を示す関連情報が、記憶媒体１６に記憶される。関連情報とは、例えば、動画像の記録媒体１３における位置情報と記録日時情報である。位置情報は、各動画像の記録位置と、先頭の位置情報を示す。
【００３９】
例えば、記録媒体１３がＤＶフォーマットの映像／音声信号の記録再生が可能とされた磁気テープとすると、ＤＶフォーマットにおける５２５／６０システムにおいては、１フレームが１０本のトラックに記録される。また、各トラックにはサブコードセクタが設けられ、このサブコードセクタには、ＩＤ部とサブコードデータが格納される。ＩＤ部には、例えば、磁気テープおける絶対トラック番号が記録される。また、サブコードデータには、タイムコード、ビデオデータやオーディオデータの録画、録音日時情報が記録される。
【００４０】
すなわち、システムコントロール部１４は、先頭付近のフレームを抽出するときに、当該フレームのサブコードセクタに記録される位置情報や記録日時情報を抽出し、インデックス画像の記憶と共に、記憶媒体１６に書き込む。
【００４１】
次に、静止画像群と関連情報の再生について説明する。この一実施形態におけるビデオカメラ１のように、記録機能だけでなく、動画像の再生機能をさらに有する記録再生装置では、記録された動画像のシーン検索時に、静止画像群と関連情報の再生が行われる。ビデオカメラ１に記録媒体１３が装着され、装着された記録媒体１３に記録された動画像に対応する静止画像群と関連情報が、記憶媒体１６に記憶されている状態で、動画像のシーン検索を行うことができる。
【００４２】
図３は、ＬＣＤ１９に表示されるシーン検索のＧＵＩ５１の一例である。参照符号３１は、テープの位置情報を示す。また、参照符号３２は、シーン検索の静止画像群を再生するボタンを示す。ボタン３２を押すと、記憶媒体１６に記憶された静止画像群２４を構成する個々のインデックス画像が順次、再生される。インデックス画像が順次、再生されることで、従来のように、単に１フレーム分の静止画像が表示されるだけでなく、動きのある画面によるシーンの検索が可能となる。静止画像群２４の再生が終了すると、静止画像群２５を構成する各インデックス画像、静止画像群２６を構成する各インデックス画像が順次、再生される。
【００４３】
ボタン３３は、シーンの頭出しを実行するボタンである。例えば、静止画像群２５の各インデックス画像を確認して、ボタン３３を押すと、システムコントロール部１４は、記憶媒体１６に記憶されている関連情報をもとにして、動画像２の先頭位置へ記録媒体１３の再生位置を合わせる制御をする。そして、動画像２の先頭位置からの再生が開始される。ボタン３４ａ、次のシーンへ飛ばすボタンであり、ボタン３４ｂは、前のシーンへ戻るボタンである。例えば、再生される静止画像群２４を確認している途中でユーザの所望するシーンではないとされたときに、ボタン３４ａが押されると、次のシーンの静止画像群２５の再生が行われる。
【００４４】
参照符号３５は、個々の静止画像の記録日時情報を示す。また、参照符号３６は記録媒体１３の装着の有無を示すアイコンである。
【００４５】
参照符号３７は、現在の記録媒体１６の再生位置を示し、参照符号３８は、記録媒体１３における静止画像群の位置を示す。また、この他にもボタン３９〜ボタン４３を配して、これらに任意の機能を付加することが可能とされる。例えば、作成され、記憶媒体１６に記憶された静止画像群を消去する機能などを付加してもよい。
【００４６】
このように、動画像のシーン検索時に、静止画像群と、記録日時情報やテープ位置情報などの関連情報を再生することができる。これにより、従来と異なり、複数のインデックス画像により動きがある画面とされ、動きのある画面によるシーンの検索を行うことができ、さらに、所望のシーンに素早くアクセスすることができる。
【００４７】
次に、この発明の第２の実施形態を説明する。図４は、第２の実施形態における静止画像群の作成と記憶のタイミングを示す。この第２の実施形態では、ユーザの指定するタイミングにより静止画像群が作成され、記憶される。例えば、動画像１の記録時に気に入った場面があった場合に、例えばスイッチを押すなどのトリガ操作が行われる。システムコントロール部１４には、トリガ操作に応じた操作情報が供給される。
【００４８】
操作情報が供給されたシステムコントロール部１４は、動画像１のフレーム５５ａを抽出し、静止画像記録再生処理部１５に供給する。静止画像記録再生処理部１５において、フレーム５５ａに対応するインデックス画像が生成され、記憶媒体１６に書き込まれる。
【００４９】
続いて、システムコントロール部１４は、フレーム５５ａから設定された間隔が経過した後のフレーム５５ｂを抽出し、静止画像記録再生処理部１５に供給する。静止画像記録再生処理部１５において、フレーム５５ｂに対応するインデックス画像が生成され、記憶媒体１６に書き込まれる。
【００５０】
同様にして、システムコントロール部１４によりフレーム５５ｃ〜フレーム５５ｅが抽出される。静止画像記録再生処理部１５において、フレーム５５ｃ〜フレーム５５ｅに対応するインデックス画像が生成され、記憶媒体１６に書き込まれる。記憶媒体１６に書き込まれたフレーム５５ａ〜フレーム５５ｅに対応するインデックス画像により静止画像群６１が生成される。
【００５１】
システムコントロール部１４により抽出されるフレーム５５ａ〜フレーム５５ｅは、時間的に近接した複数のフレームとされる。すなわち、フレーム間の時間的間隔は適切な値に設定されるが、少なくとも、記憶された静止画像群６１のインデックス画像を順次、再生した場合にある動きの把握が可能とされる値に設定される。設定されるフレーム間の時間的間隔は、等間隔でなく異なる時間間隔とされてもよい。また、記憶されるフレームのインデックス画像の枚数は、この第２の実施形態では５枚とされたが、５枚に限定されず、適切な値に設定される。
【００５２】
また、上述した第１の実施形態と同様に、記憶媒体１６には、動画像１と静止画像群６１との関連を示す関連情報が書き込まれる。すなわち、システムコントロール部１４は、静止画像群６１のはじめのフレームである、フレーム５５ａを抽出したときに、フレーム５５ａの関連情報を抽出し、記憶媒体１６に書き込む。
【００５３】
このように、この第２の実施形態では、ユーザにより指定されたタイミングに同期して複数のインデックス画像からなる静止画像群６１と、関連情報とが記憶媒体１６に書き込まれる。
【００５４】
また、再生機能を有する記録再生装置では、記憶媒体１６に記憶された静止画像群６１と動画像１との関連を示す関連情報の再生が可能とされる。再生時のＧＵＩは、第１の実施形態で説明したものと同様なので、重複した説明を省略する。この第２の実施形態では、記録媒体１３における同一シーン、すなわち同じ動画像１であっても、特に気に入った場面にシーン検索のための静止画像群が生成されるため、記録媒体１３に記録されている動画像の特に気に入った場面への迅速なアクセスが可能となる。
【００５５】
さらに、上述した説明では、動画像の記録時にユーザにより指定されたタイミングに同期して静止画像群６１と、関連情報とが記憶媒体１６に記憶されるものとして説明したが、動画像の再生時にユーザにより指定されたタイミングに同期して静止画像群と、関連情報が記憶されるようにしてもよい。つまり、動画像の再生時に気に入ったシーンがあった場合に、ユーザによる、例えば、トリガ操作等がなされることで指定されたタイミングに同期して所定のフレームが抽出される。そして、静止画像記録再生処理部１５において、抽出されたフレームに対応するインデックス画像が生成される。複数のインデックス画像からなる静止画像群が生成され、静止画像群と、関連情報とが記憶媒体１６に書き込まれるものとしてもよい。
【００５６】
図５は、静止画像群の作成と記憶に関する第３の実施形態を示す。第３の実施形態では、第１の実施形態と同様に、各動画像の先頭付近の５枚のフレームが抽出されて、インデックス画像が生成されて静止画像群７４〜静止画像群７６が生成されると共に、記録された動画像全体に関して、所定の時間間隔で、フレーム８１ａ〜フレーム８１ｊが抽出されて、インデックス画像が生成されて、他の静止画像群８４が生成される。
【００５７】
このように、静止画像群７４〜静止画像群７６および他の静止画画像群８４を構成するインデックス画像に対応するフレームは、記録時に、時間順に従って、抽出される。
【００５８】
また、動画像１と静止画像群７４との関連を示す関連情報、動画像２と静止画像群７５との関連を示す関連情報、動画像３と静止画像群７６との関連を示す関連情報が記録媒体１６に書き込まれる。さらに、他の静止画像群８３と記録されている動画像との関連を示す関連情報も記憶媒体１６に書き込まれる。
【００５９】
なお、上述した、一定間隔で抽出されるフレームの枚数は例示であり、動画像の記録時間等によって異なるものとされる。
【００６０】
次に、シーン検索時の静止画像群の再生処理について説明する。再生時のＧＵＩは第１の実施形態で説明したＧＵＩ５１と同様である。はじめに静止画像群７４のはじめのフレーム７１ａのインデックス画像が再生される。続いてフレーム７１ｂ〜フレーム７１ｅに対応するインデックス画像の再生が順次行われる。フレーム７１ｅに対応するインデックス画像の再生が終了すると、他の静止画像群８４のフレーム８１ｂに対応するインデックス画像の再生が行われる。続いて、フレーム８１ｂ〜フレーム８１ｅに対応するインデックス画像が順次、再生される。
【００６１】
次に静止画像群７５のフレーム７２ａに対応するインデックス画像の再生が行われる。続いて、フレーム７２ｂ〜フレーム７２ｅに対応するインデックス画像の再生が順次、行われる。静止画像群７５の再生が終了すると、次に、他の静止画像群８４のフレーム８１ｆに対応するインデックス画像の再生が行われる。
【００６２】
続いて、フレーム８１ｇに対応するインデックス画像の再生が行われる。次に、静止画像群７６のフレーム７３ａに対応したインデックス画像の再生が行われる。続いて、フレーム７３ｂ〜フレーム７３ｅに対応するインデックス画像の再生が順次、行われる。
【００６３】
静止画像群７６の再生が終了すると、次に他の静止画像群８４のフレーム８１ｈに対応するインデックス画像の再生が行われる。続いて、フレーム８１ｉおよびフレーム８１ｊに対応するインデックス画像の再生が順次、行われ、再生処理が終了する。
【００６４】
また、静止画像群７４〜静止画像群７６を構成する各インデックス画像および他の静止画像群８４を構成する各インデックス画像が表示される際に、記録媒体１６に書き込まれている各静止画像群と動画像との関連を示す関連情報が再生される。
【００６５】
なお、静止画像群７４〜静止画像群７６は、第２の実施形態で説明したように、ユーザにより指定されたタイミングにより記憶媒体１６に記録された静止画像群でもよい。
【００６６】
また、動画像のフレームがほぼ一定の間隔で抽出され、抽出された複数のフレームに対応するインデックス画像からなる他の静止画像群を生成する処理は、動画像の再生時に行われてもよい。
【００６７】
また、静止画像群７４〜静止画像群７６を構成するインデックス画像と、他の静止画像群８４を構成するインデックス画像の再生速度を異なるものとしてもよい。例えば、静止画像群７４〜静止画像群７６を構成するインデックス画像の再生間隔を短くし、他の静止画像群８４を構成するインデックス画像の再生間隔を長くしてもよい。
【００６８】
図６は、静止画像群の作成と記憶のタイミングに関する第４の実施形態を示す。第４の実施形態では、静止画像群の作成と記憶は、動画像の再生中に行われる。例えば、記録媒体１３に記録された動画像１の再生がされると、システムコントロール部１４は、例えば、動画像１の先頭付近のフレーム９１ａを抽出し、静止画像記録再生処理部１５に供給する。静止画像記録再生処理部１５では、所定の信号処理が行われ、フレーム９１ａに対応したインデックス画像が生成されて、記憶媒体１６に書き込まれる。
【００６９】
続いて、次にシステムコントロール部１４は、フレーム９１ａから所定の時間、経過した後のフレーム９１ｂを抽出し、静止画像記録再生処理部１５に供給する。静止画像記録再生処理部１５において、フレーム９１ｂに対応するインデックス画像が生成されて、記憶媒体１６に書き込まれる。なお、抽出するフレーム間の間隔は、適切な値に設定される。
【００７０】
同様にして、フレーム９１ｃ〜フレーム９１ｅに対応するインデックス画像が生成され、記憶媒体１６に書き込まれる。フレーム９１ａ〜フレーム９１ｅに対応するインデックス画像によって静止画像群９４が生成される。
【００７１】
また、システムコントロール部１４は、静止画像群９４と、動画像１との関連を示す関連情報を抽出し、記憶媒体１６に書き込む。
【００７２】
次に、動画像１が終了し、動画像２の再生が行われる、すなわちシーンの切り替えがされると、システムコントロール部１４は、シーンの切替を検出する。シーンの切替を検出する方法は特に限定されないが、例えば、映像信号の輝度の変化を監視し、輝度の変化がしきい値以上であるときにシーンが切替ったものと判別する方法などがある。
【００７３】
システムコントロール部１４は、シーンの切り替えを検出すると、シーンの切替りを示す切替点のフレームを抽出する。例えば、動画像１から動画像２へシーンの切替がされたことから、切替点のフレーム、すなわち動画像２の先頭付近のフレーム９２ａを抽出する。
【００７４】
システムコントロール部１４は、抽出したフレーム９２ａを静止画像記録再生処理部１５に供給する。静止画像記録再生処理部１５では、フレーム９２ａに対応するインデックス画像が生成され、記憶媒体１６に書き込まれる。
【００７５】
続いて、システムコントロール部１４は、フレーム９２ａから所定の時間、経過した後のフレーム９２ｂを抽出し、静止画像記録再生処理部１５に供給する。静止画像記録再生処理部１５において、フレーム９２ｂに対応するインデックス画像が生成されて、記憶媒体１６に書き込まれる。なお、抽出するフレーム間の間隔は、適切な値に設定される。
【００７６】
同様にして、フレーム９２ｃ〜フレーム９２ｅに対応するインデックス画像が生成され、記憶媒体１６に書き込まれる。フレーム９２ａ〜フレーム９２ｅに対応するインデックス画像によって静止画像群９５が生成される。
【００７７】
また、システムコントロール部１４は、静止画像群９５と動画像２との関連を示す関連情報を抽出し、記憶媒体１６に書き込む。
【００７８】
次に、システムコントロール部１４は、動画像２と動画像３のシーンの切替点を検出する。シーンが切替る、すなわち動画像３の再生がされると、システムコントロール部１４は、動画像３の先頭付近のフレーム９３ａを抽出し、フレーム９３ａを静止画像記録再生処理部１５に供給する。
【００７９】
静止画像記録再生処理部１５では、フレーム９３ａに対応するインデックス画像が生成され、記憶媒体１６に書き込まれる。続いて、システムコントロール部１４は、フレーム９３ａから所定の時間、経過した後のフレーム９３ｂを抽出し、静止画像記録再生処理部１５に供給する。静止画像記録再生処理部１５において、フレーム９３ｂに対応するインデックス画像が生成されて、記憶媒体１６に書き込まれる。なお、抽出するフレーム間の間隔は、適切な値に設定される。
【００８０】
同様にして、フレーム９３ｃ〜フレーム９３ｅに対応するインデックス画像が生成され、記憶媒体１６に書き込まれる。フレーム９２ａ〜フレーム９２ｅに対応するインデックス画像によって静止画像群９６が生成される。
【００８１】
また、システムコントロール部１４は、静止画像群９６と動画像３との関連を示す関連情報を抽出し、記憶媒体１６に書き込む。
【００８２】
このようにして、再生中に静止画像群を生成し、静止画像群と関連情報を記憶媒体１６に書き込むことで、次の再生時に、静止画像群９４〜静止画像群９６を用いてのシーン検索が可能となる。また、記録時に静止画像群の作成と記憶に失敗したときも、動画像を再生したときに静止画像群の作成と記憶を行うことができる。
【００８３】
図７は、記録時のインデックス作成処理の概要を示すフローチャートである。ステップＳ１において、動画像の記録が開始されると、処理がステップＳ２に進む。ステップＳ２では、インデックス画像作成のタイミングであるか否かが判別される。
【００８４】
ステップＳ２において、インデックス画像の作成のタイミングでないときは、処理はステップＳ７に進む。ステップＳ７では、通常の記録処理が行われる。ここで、通常の記録処理とは、インデックス画像を作成する必要がない動画像の記録を意味する。
【００８５】
ステップＳ２において、インデックス画像作成のタイミングである場合は、処理がステップＳ３に進む。ステップＳ３では、インデックス画像の作成が行われる。すなわち、システムコントロール部１４の制御により、記録される動画像を構成するフレームのうち、所定のフレームの静止画像が、静止画像記録再生処理部１５に供給される。静止画像記録再生処理部１５で、所定のフレームの画像信号に対して、圧縮／縮小処理等がなされ、インデックス画像の作成が行われる。
【００８６】
続いて、処理がステップＳ４に進む。ステップＳ４では、記憶媒体１６に、生成されたインデックス画像が書き込まれる。すなわち、静止画像記録再生処理部１５において、圧縮／縮小処理がなされた静止画像信号が、記憶媒体１６の記録に適したフォーマットへ変換されて、記憶媒体１６に記録される。
【００８７】
続いて、処理がステップＳ５に進む。ステップＳ５では、インデックス画像がＮ枚作成されたか否かが判別される。Ｎの値は、一つの静止画像群を構成するインデックス画像の総枚数を示す。
【００８８】
ステップＳ５において、インデックス画像がＮ枚作成されると、処理がステップＳ７に進む。ステップＳ７では、インデックス画像の作成により静止画像群の作成および記憶が行われたので、通常記録処理がされる。
【００８９】
ステップＳ５において、インデックス画像がＮ枚作成されないと、処理がステップＳ６に進む。ステップＳ６において、次のインデックス画像を作成する作成間隔が経過すると処理がステップＳ３に戻り、再びインデックス画像の作成／記憶が行われる。
【００９０】
なお、ステップＳ１の処理は、記録開始時の処理として説明したが、記録された動画像の再生時におけるインデックス画像の作成／記憶も同様の処理が行われる。
【００９１】
図８は、インデックス画像の再生時の処理を示す。ステップＳ１１では、例えばユーザによるスイッチ操作などのトリガ操作により、ＬＣＤ１９に動画像のシーン検索の画面が表示される。
【００９２】
続いて、処理がステップＳ１２に進む。ステップＳ１２では、インデックス画像の表示要求がされたか否かが判別される。インデックス画像の表示要求がされないときは、処理がステップＳ１８に進み、処理が終了する。
【００９３】
ステップＳ１２において、インデックス画像の表示要求がされると、処理がステップＳ１３に進む。ステップＳ１３では、インデックス画像の読み出しが行われる。すなわち、記憶媒体１６からインデックス画像が読み出されて、静止画像記録再生処理部１５に供給され、必要に応じて、伸張処理などが行われる。
【００９４】
続いて、処理がステップＳ１４に進む。ステップＳ１４ではインデックス画像の表示が行われる。システムコントロール部１４は、静止画像記録再生処理部１５において所定の信号処理がされたインデックス画像を表示処理部１８に供給する。表示処理部１８において所定の信号処理がされたインデックス画像がＬＣＤ１９に供給され、表示される。
【００９５】
続いて、処理がステップＳ１５に進む。ステップＳ１５ではインデックス画像がＮ枚表示されたか否かが判別される。Ｎの値は、一つの静止画像群を構成するインデックス画像の総枚数を示し、適切な値に設定される。ステップＳ１５において、Ｎ枚表示されていない場合は、処理がステップＳ１６に進む。ステップＳ１６では、次のインデックス画像を表示する間隔が経過するまで待たれる。なお、次のインデックス画像を表示する間隔は、適切な値に設定される。
【００９６】
次のインデックス画像を表示する間隔が経過すると、処理が再びステップＳ１３に戻り、インデック画像の読出し／再生が行われる。
【００９７】
ステップＳ１５においてインデックス画像がＮ枚表示されると処理がステップＳ１７に進む。ステップＳ１７では、全てのインデックス画像の再生が終了したか否かが判別される。例えば、次の静止画像群を構成するインデックス画像や、一定間隔で表示される他の静止画像群を構成するインデックス画像が再生されたか否かが判別される。
【００９８】
全てのインデックス画像の表示が終了していない場合は、処理がステップＳ１３に戻り、次の静止画像群を構成するインデックス画像の読み出し／再生が行われる。また、全てのインデックス画像の表示が終了した場合は、インデックス画像の再生が終了する（ステップＳ１８）。
【００９９】
この発明は、この発明の要旨を逸脱しない範囲内でさまざまな変形や応用が可能であり、上述した一実施形態に限定されることはない。この発明は、記録媒体１３が磁気テープなどのシーケンシャルにしかアクセスできない記録媒体に好適であるが、光ディスクなどのランダムアクセスが可能な記録媒体にも適用することができる。
【図面の簡単な説明】
【０１００】
【図１】この発明の一実施形態におけるビデオカメラの構成を示すブロック図である。
【図２】この発明の第１の実施形態における静止画像群の作成と記憶のタイミングの例を示す略線図である。
【図３】この発明の一実施形態におけるインデックスの再生時のＧＵＩを示す。
【図４】この発明の第２の実施形態における静止画像群の作成と記憶のタイミングの他の例を示す略線図である。
【図５】この発明の第３の実施形態における静止画像群の作成と記憶のタイミングのさらに他の例を示す略線図である。
【図６】この発明の第４の実施形態における静止画像群の作成と記憶のタイミングのさらに他の例を示す略線図である。
【図７】インデックス画像の作成と記憶の処理を示すフローチャートである。
【図８】インデックス画像の再生の処理を示すフローチャートである。
【符号の説明】
【０１０１】
１              ビデオカメラ
１２            動画像記録再生処理部
１３            記録媒体
１４            システムコントロール部
１５            静止画像記録再生処理部
１６            記憶媒体
１９            ＬＣＤ
【図１】
2006217060.tif 000003
【図２】
2006217060.tif 000004
【図３】
2006217060.tif 000005
【図４】
2006217060.tif 000006
【図５】
2006217060.tif 000007
【図６】
2006217060.tif 000008
【図７】
2006217060.tif 000009
【図８】
2006217060.tif 000010